(57)【特許請求の範囲】
【請求項１】
順序付けられた項目に対応するデータを表示するデータ表示装置であって、
データ項目を含む記述データに関する、前記順序付けられた項目に対応するデータが入力されるデータ入力手段と、
前記入力された各データ項目を含む記述データに関するデータに基づいて、前記入力された各データ項目を含む記述データに関するデータをソートする基準となる値である基準値を前記各データ項目毎に算出する基準値算出手段と、
前記各データ項目を含む記述データに関するデータを前記算出された基準値について昇順または降順にソートするデータソート手段と、
前記ソートされたデータに基づいて、表示データを作成し、作成した表示データを画面表示するデータ表示手段とを備え、
前記基準値算出手段は、前記順序付けられた項目の順序の値の平均値と最頻値と中央値との平均の値を前記基準値として算出する
ことを特徴とするデータ表示装置。
【請求項２】
順序付けられた項目に対応するデータを表示するデータ表示装置であって、
データ項目を含む記述データに関する、前記順序付けられた項目に対応するデータが入力されるデータ入力手段と、
前記入力された各データ項目を含む記述データに関するデータに基づいて、前記入力された各データ項目を含む記述データに関するデータをソートする基準となる値である基準値を前記各データ項目毎に算出する基準値算出手段と、
前記各データ項目を含む記述データに関するデータを前記算出された基準値について昇順または降順にソートするデータソート手段と、
前記ソートされたデータに基づいて、表示データを作成し、作成した表示データを画面表示するデータ表示手段とを備え、
前記基準値算出手段は、前記順序付けられた項目の順序の値の平均値を前記基準値として算出する
ことを特徴とするデータ表示装置。
【請求項３】
順序付けられた項目に対応するデータを表示するデータ表示装置であって、
データ項目を含む記述データに関する、前記順序付けられた項目に対応するデータが入力されるデータ入力手段と、
前記入力された各データ項目を含む記述データに関するデータに基づいて、前記入力された各データ項目を含む記述データに関するデータをソートする基準となる値である基準値を前記各データ項目毎に算出する基準値算出手段と、
前記各データ項目を含む記述データに関するデータを前記算出された基準値について昇順または降順にソートするデータソート手段と、
前記ソートされたデータに基づいて、表示データを作成し、作成した表示データを画面表示するデータ表示手段とを備え、
前記基準値算出手段は、前記順序付けられた項目の順序の値の最頻値を前記基準値として算出する
ことを特徴とするデータ表示装置。
【請求項４】
順序付けられた項目に対応するデータを表示するデータ表示装置であって、
データ項目を含む記述データに関する、前記順序付けられた項目に対応するデータが入力されるデータ入力手段と、
前記入力された各データ項目を含む記述データに関するデータに基づいて、前記入力された各データ項目を含む記述データに関するデータをソートする基準となる値である基準値を前記各データ項目毎に算出する基準値算出手段と、
前記各データ項目を含む記述データに関するデータを前記算出された基準値について昇順または降順にソートするデータソート手段と、
前記ソートされたデータに基づいて、表示データを作成し、作成した表示データを画面表示するデータ表示手段とを備え、
前記基準値算出手段は、前記順序付けられた項目の順序の値の中央値を前記基準値として算出する
ことを特徴とするデータ表示装置。
【請求項５】
請求項１乃至請求項４のいずれか１項に記載のデータ表示装置において、
前記データ表示手段は、前記各データ項目毎に算出された基準値をプロットしたデータを、前記表示データの一部として画面表示する
ことを特徴とするデータ表示装置。
【請求項６】
請求項１乃至請求項５のいずれか１項に記載のデータ表示装置において、
前記データ表示手段は、さらに、前記表示データに前記各データ項目毎に算出された基準値が併記される形式で、前記表示データを画面表示する
ことを特徴とするデータ表示装置。
【請求項７】
請求項１乃至請求項６のいずれか１項に記載のデータ表示装置において、
前記データ入力手段は、
入力された書誌データを蓄積するデータ蓄積手段と、
前記蓄積された書誌データからデータ項目を抽出するデータ項目抽出手段と、
前記抽出されたデータ項目と前記書誌データとに基づいて、各データ項目を含む記述データに関する、前記順序付けられた項目に対応するデータを作成するデータ作成手段とを備え、
前記基準値算出手段は、前記作成された各データ項目を含む記述データに関するデータに基づいて、前記各データ項目を含む記述データに関するデータをソートする基準となる値である基準値を前記各データ項目毎に算出する
ことを特徴とするデータ表示装置。
【請求項８】
順序付けられた項目に対応するデータを表示するデータ表示方法であって、
データ項目を含む記述データに関する、前記順序付けられた項目に対応するデータを入力するステップと、
前記入力された各データ項目を含む記述データに関するデータに基づいて、前記入力された各データ項目を含む記述データに関するデータをソートする基準となる値である基準値を前記各データ項目毎に算出する場合、前記基準値を前記順序付けられた項目の順序の値の平均値と最頻値と中央値との平均の値を前記基準値として算出するステップと、
前記各データ項目を含む記述データに関するデータを前記算出された基準値について昇順または降順にソートするステップと、
前記ソートされたデータに基づいて、表示データを作成し、作成した表示データを画面表示するステップとを有する
ことを特徴とするデータ表示方法。
【請求項９】
順序付けられた項目に対応するデータを表示するデータ表示装置が備えるコンピュータに実行させるためのプログラムであって、
前記コンピュータを、
データ項目を含む記述データに関する、前記順序付けられた項目に対応するデータが入力されるデータ入力手段と、
前記入力された各データ項目を含む記述データに関するデータに基づいて、前記入力された各データ項目を含む記述データに関するデータをソートする基準となる値である基準値を前記各データ項目毎に算出する場合、前記基準値を前記順序付けられた項目の順序の値の平均値と最頻値と中央値との平均の値を前記基準値として算出する基準値算出手段と、
前記各データ項目を含む記述データに関するデータを前記算出された基準値について昇順または降順にソートするデータソート手段と、
前記ソートされたデータに基づいて、表示データを作成し、作成した表示データを画面表示するデータ表示手段として機能させるためのデータ表示プログラム。
【発明の詳細な説明】
【技術分野】
【０００１】
本発明は、データ表示技術に関し、特に、順序付けられた項目（例えば、年次）に対応するデータを表示するデータ表示装置、データ表示方法およびデータ表示プログラムに関する。より具体的には、本発明は、発表される文書データに含まれるキーワード毎に、文書データの発表件数の推移を表示する。
【背景技術】
【０００２】
大学、企業等の各研究機関は、有用な研究について、年次大会や論文誌において毎年発表を行っている。論文誌・年次大会での発表件数の推移を図２１に示す。論文誌と年次大会を比較すると、年次大会の方が圧倒的に発表件数が多いことがわかる。また、両方ともに一時期件数が減る時期（論文誌だと８年次、年次大会だと６年次）があったものの、全体的に増加傾向であることがわかる。
【０００３】
年次大会と論文誌は、それぞれ４年次、６年次で一時的なピークを迎え、６年次、８年次で一時的に落ち込んでいる。年次大会のピークと落ち込みの起こった年の丁度２年後に論文誌でピークと落ち込みが生じている。これは、論文誌は投稿から査読、掲載と時間がかかるため、同時期に行なった研究であっても、論文誌の方が年次大会よりも遅れて発表されるために生じたものと思われる。
【０００４】
下記の非特許文献１に記載されている、入力されたデータを表形式で表示する技術を用いれば、各研究機関の各年次の発表件数のデータ（年次発表データ）を表形式で表示することができる（非特許文献１参照）。
【０００５】
また、従来から、あるキーワード（例えば、研究機関名、研究分野名等）を含む文書の年次発表データを、例えば発表件数の多いキーワードの順に手作業でソートして表示する技術がある。
【非特許文献１】知りたい操作がすぐわかる  標準 Excel全機能Bible 2003，村田吉徳著，技術評論社，2004.2.1発行
【発明の開示】
【発明が解決しようとする課題】
【０００６】
しかし、従来技術では、例えば、キーワード毎の発表件数の推移を一目で把握することができるような表示を自動的に行うことは困難である。例えば、キーワードとして研究機関を例にとると、従来技術では、どの研究機関が最近発表件数が増加傾向にあるのか、または減少傾向にあるのか等の、発表件数の動向が一目で把握できるように、各研究機関の発表件数の推移を自動で可視的に表示することはできない。
【０００７】
また、例えば、キーワードとして研究分野を例にとると、従来技術では、例えば、どの研究分野について、最近発表件数が増加傾向にあるのか、または、減少傾向にあるのかを一目で把握できるような表示を行うことはできない。
【０００８】
本発明は、上記従来技術の問題点を解決し、各データ項目（例えば、キーワード）を含む記述データ（例えば、文書）に関する、順序付けられた項目（例えば、年次）に対応するデータ（例えば、数値データ）の推移を自動的に表示するデータ表示装置、データ表示方法およびデータ表示プログラムの提供を目的とする。より具体的には、本発明は、キーワード毎の文書の発表件数の動向が一目で把握できるような形式で、キーワード毎の発表件数の推移を自動的に表示することを目的とする。
【課題を解決するための手段】
【０００９】
上記課題を解決するため、本発明は、順序付けられた項目に対応するデータを表示するデータ表示装置であって、データ項目を含む記述データに関する、前記順序付けられた項目に対応するデータが入力されるデータ入力手段と、前記入力された各データ項目を含む記述データに関するデータに基づいて、前記入力された各データ項目を含む記述データに関するデータをソートする基準となる値である基準値を前記各データ項目毎に算出する基準値算出手段と、前記各データ項目を含む記述データに関するデータを前記算出された基準値について昇順または降順にソートするデータソート手段と、前記ソートされたデータに基づいて、表示データを作成し、作成した表示データを画面表示するデータ表示手段とを備えることを特徴とする。
【００１０】
また、本発明は、順序付けられた項目に対応する数値データを表示するデータ表示装置であって、各データ項目を含む記述データに関する、前記順序付けられた項目に対応する数値データが入力されるデータ入力手段と、前記入力された数値データに基づいて、前記数値データをソートする基準となる値である基準値を前記各データ項目毎に算出する基準値算出手段と、前記各データ項目を含む記述データに関する数値データを前記算出された基準値について昇順または降順にソートするデータソート手段と、前記ソートされた数値データに基づいて、表示データを作成し、作成した表示データを画面表示するデータ表示手段とを備えることを特徴とする。
【００１１】
また、本発明は、前記のデータ表示装置において、前記基準値算出手段は、前記順序付けられた項目の順序の値に基づいて、前記基準値を算出することを特徴とする。
【００１２】
また、本発明は、前記のデータ表示装置において、前記基準値算出手段は、前記順序付けられた項目の順序の値の平均値と最頻値と中央値との平均の値を前記基準値として算出することを特徴とする。
【００１３】
また、本発明は、前記のデータ表示装置において、前記基準値算出手段は、前記順序付けられた項目の順序の値の平均値を基準値として算出することを特徴とする。
【００１４】
また、本発明は、前記のデータ表示装置において、前記基準値算出手段は、前記順序付けられた項目の順序の値の最頻値を基準値として算出することを特徴とする。
【００１５】
また、本発明は、前記のデータ表示装置において、前記基準値算出手段は、前記順序付けられた項目の順序の値の中央値を基準値として算出することを特徴とする。
【００１６】
また、本発明は、前記のデータ表示装置において、前記データ表示手段は、前記各データ項目毎に算出された基準値をプロットしたデータを、前記表示データの一部として画面表示することを特徴とする。
【００１７】
また、本発明は、前記のデータ表示装置において、前記データ表示手段は、さらに、前記表示データに前記各データ項目毎に算出された基準値が併記される形式で、前記表示データを画面表示することを特徴とする。
【００１８】
また、本発明は、前記のデータ表示装置において、前記データ入力手段は、入力された書誌データを蓄積するデータ蓄積手段と、前記蓄積された書誌データからデータ項目を抽出するデータ項目抽出手段と、前記抽出されたデータ項目と前記書誌データとに基づいて、各データ項目を含む記述データに関する、前記順序付けられた項目に対応するデータを作成するデータ作成手段とを備え、前記基準値算出手段は、前記作成された各データ項目を含む記述データに関するデータに基づいて、前記各データ項目を含む記述データに関するデータをソートする基準となる値である基準値を前記各データ項目毎に算出することを特徴とする。
【００１９】
また、本発明は、順序付けられた項目に対応するデータを表示するデータ表示方法であって、データ項目を含む記述データに関する、前記順序付けられた項目に対応するデータを入力するステップと、前記入力された各データ項目を含む記述データに関するデータに基づいて、前記入力された各データ項目を含む記述データに関するデータをソートする基準となる値である基準値を前記各データ項目毎に算出するステップと、前記各データ項目を含む記述データに関するデータを前記算出された基準値について昇順または降順にソートするステップと、前記ソートされたデータに基づいて、表示データを作成し、作成した表示データを画面表示するステップとを有することを特徴とする。
【００２０】
また、本発明は、順序付けられた項目に対応するデータを表示するデータ表示装置が備えるコンピュータに実行させるためのプログラムであって、前記コンピュータを、データ項目を含む記述データに関する、前記順序付けられた項目に対応するデータが入力されるデータ入力手段と、前記入力された各データ項目を含む記述データに関するデータに基づいて、前記入力された各データ項目を含む記述データに関するデータをソートする基準となる値である基準値を前記各データ項目毎に算出する基準値算出手段と、前記各データ項目を含む記述データに関するデータを前記算出された基準値について昇順または降順にソートするデータソート手段と、前記ソートされたデータに基づいて、表示データを作成し、作成した表示データを画面表示するデータ表示手段として機能させるためのデータ表示プログラムである。
【発明の効果】
【００２１】
本発明は、各キーワードを含む記述データ（例えば、文書）に関する、前記順序付けられた項目（例えば、年次）に対応するデータ（例えば、数値データ）を、基準値に基づいて自動的にソートした上で、ソート後のデータを画面表示する。
【００２２】
より具体的には、本発明は、個々のキーワードを含む文書の、各年次の発表件数のデータ（年次発表データ）を、基準値に基づいて自動的にソートした上で、ソート後の複数のキーワードについての発表件数の推移を画面表示する。従って、本発明によれば、例えば、キーワード毎の文書の発表件数の動向が一目で把握できる。
【発明を実施するための最良の形態】
【００２３】
図１は、本発明のデータ表示装置の構成の一例を示す図である。データ表示装置１は、各データ項目（例えば、キーワード）を含む記述データ（例えば、文書）に関する、順序付けられた項目に対応するデータ（例えば、数値データ）を画面表示する。例えば、研究機関や研究分野等といったキーワードについての年次発表データを画面表示する。データ表示装置１は、データ入力部１１、基準値算出部１２、データソート部１３、データ表示部１４を備える。
【００２４】
データ入力部１１には、各データ項目（例えば、キーワード）を含む記述データ（例えば、文書）に関する、順序付けられた項目に対応するデータ（例えば、数値データ）が入力される。データ入力部１１には、例えば、図２（Ａ）に示すような年次発表データが入力される。図２（Ａ）に示す年次発表データは、例えば、キーワードの一つであるＡ大学については、第３年次に１件、第４年次に５件、第６年次に１０件、第７年次に１件の文書発表があり、Ｂ大学については、第１年次に５件、第２年次に３件、第３年次に１０件、第８年次に１件の文書発表があり、Ｃシステムズについては、第４年次に２件、第７年次に４件、第８年次に１２件、第９年次に５件、第１０年次に１３件の文書発表があったことを示している。
【００２５】
また、例えば、データ入力部１１には、図２（Ｂ）に示すようなデータが入力される。図２（Ｂ）に示すデータは、例えば、各研究機関の、各年次の文書発表の有無を示しており、例えば、データ「有」が格納された年次には文書発表があり、データ「無」が格納された年次には、文書発表が無かったことを示している。
【００２６】
なお、本発明の実施の形態においては、データ入力部１１に書誌データが入力され、データ入力部１１が、入力された書誌データに基づいて、各データ項目（例えば、キーワード）を含む記述データ（例えば、文書）に関する、順序付けられた項目に対応するデータ（例えば、個々のキーワードを含む文書の各年次の発表件数のデータ（年次発表データ））を作成し、出力する構成を採ることもできる。
【００２７】
基準値算出部１２は、データ入力部１１から出力された、各データ項目を含む記述データ（例えば、文書）に関する、順序付けられた項目に対応するデータに基づいて、出力されたデータをソートする基準となる値である基準値を各データ項目毎に算出する。基準値の算出例については、後述する。
【００２８】
データソート部１３は、基準値算出部１２によって算出された基準値に基づいて、各データ項目を含む記述データ（例えば、文書）に関する、順序付けられた項目に対応するデータをソートする。データソート部１３は、例えば、基準値について昇順（小さい順）または降順（大きい順）に各データ項目についての、順序付けられた項目に対応するデータ（例えば年次発表データ）をソートする。
【００２９】
データ表示部１４は、データソート部１３によってソートされたデータに基づいて、表示対象となるデータ（表示データ）を作成し、表示データを表示する。
【００３０】
データ入力部１１は、例えば、図１に示すように、データ蓄積手段１１１、データ項目抽出手段１１２、データ作成手段１１３を備える構成を採ることができる。データ蓄積手段１１１は、入力された書誌データを蓄積する。データ項目抽出手段１１２は、蓄積された書誌データからデータ項目（例えば、キーワード）を抽出する。データ作成手段１１３は、書誌データと抽出されたデータ項目とに基づいて、各データ項目を含む記述データ（例えば、文書）に関する、順序付けられた項目に対応するデータを作成する。例えば、例えば上述した図２（Ａ）に示すような年次発表データを作成し、出力する。
【００３１】
なお、本発明の実施の形態においては、データ入力部１１は、データ項目抽出手段１１２及びデータ作成手段１１３を備えることなく、データ蓄積手段１１１に入力された、各データ項目（例えば、キーワード）を含む記述データ（例えば、文書）に関する、順序付けられた項目に対応するデータ（例えば年次発表データ）を出力するという構成を採ることもできる。
【００３２】
データ表示部１４は、表示データ作成手段１４１とデータ表示手段１４２とを備える。表示データ作成手段１４１は、データソート部１３によってソートされた各データ項目についての、順序付けられた項目に対応するデータ（例えば年次発表データ）に基づいて、表示対象となる表示データを作成する。データ表示手段１４２は、表示データ作成手段１４１によって作成された表示データを画面表示する。
【００３３】
図３は、本発明の第１の実施の形態におけるデータ表示処理フローの一例を示す図である。図３では、データ入力部１１に、各データ項目を含む記述データに関する、順序付けられた項目に対応するデータとして、例えば、各キーワードについての年次発表データが入力される場合の処理フローを示している。
【００３４】
まず、データ入力部１１に年次発表データが入力される（ステップＳ１）。例えば、図２（Ａ）に示すような各キーワード（図２（Ａ）では各研究機関）についての年次発表データが入力される。
【００３５】
次に、基準値算出部１２が、入力された年次発表データに基づいて、各キーワードについての基準値を算出する（ステップＳ２）。例えば、発表される年次の平均値と最頻値と中央値を求めてそれらの平均の値を基準値として算出する。ここで、発表される年次の平均値とは、例えば、発表される年次に発表件数を乗じた値の合計値を、発表件数の合計値で割った値である。例えば、図２（Ａ）において、Ａ大学については、第３年次に１件、第４年次に５件、第６年次に１０件、第７年次に１件の文書発表があるため、発表される年次の平均値は、（３×１＋４×５＋６×１０＋７×１）／１７＝５．２９となる。
【００３６】
また、発表される年次の最頻値は、発表件数の最も多い年次の値であり、例えば、Ａ大学については、発表件数が最も多い「１０」である年次（第６年次）の値「６」である。また、発表される年次の中央値は、発表件数のデータのうち、中央のデータが属する年次の値である。例えば、Ａ大学については、１〜１７までの発表件数のデータのうち、中央のデータである第９番目のデータが属する年次（第６年次）の値「６」である。
【００３７】
従って、例えば、Ａ大学についての基準値は、（５．２９＋６＋６）／３＝５．７６と算出される。
【００３８】
もちろん、本発明の実施の形態においては、基準値の算出方法は、上述した方法に限られるものではなく、例えば、算出された、発表される年次の平均値、最頻値、中央値のそれぞれをそのまま基準値として用いてもよいし、発表される年次の平均値、最頻値、中央値を任意に組み合わせて用いて、所定の算出方法に基づいて、基準値を算出してもよい。
【００３９】
また、本発明の実施の形態においては、データ入力部１１に入力される、順序付けられた項目（例えば、年次）に対応するデータは、数値データに限られるものではなく、入力されるデータは、例えば言語表現であってもよい。すなわち上記ステップＳ１において、データ入力部１１に図２（Ａ）に示す年次発表データの代わりに図２（Ｂ）に示すデータが入力された場合には、上記ステップＳ２において、例えば以下のようにして基準値を算出する。すなわち、図２（Ｂ）において、言語表現「有」が格納されている年次については、発表件数を「１」とし、言語表現「無」が格納されている年次については、発表件数を「０」として、発表される年次の平均値と最頻値と中央値を求め、それらの平均の値を基準値として算出する。
【００４０】
もちろん、本発明の実施の形態においては、順序付けられた項目（例えば、年次）に対応するデータとして入力された各言語表現を、予め決められた、各言語表現に対応付けられた数値に変換し、変換後の数値を用いて基準値を算出する構成を採ることもできる。
【００４１】
次に、データソート部１３が、算出された基準値に基づいて、各キーワードについての年次発表データをソートする（ステップＳ３）。例えば、データソート部１３は、各キーワードについての年次発表データを、基準値について昇順にソートする。なお、データソート部１３は、算出された基準値に基づいて、各キーワードについての年次発表データを降順にソートしてもよい。
【００４２】
次に、データ表示部１４が、ソートされた年次発表データに基づいて、表示データを作成し、作成した表示データを画面表示する（ステップＳ４）。データ表示部１４は、例えば、各研究機関の各年次における発表件数のデータを等高線データに変換し、例えば図４に示すように、各研究機関の各年次における論文誌での発表件数のデータが等高線表示される画面を表示する。発表件数の度合いによって等高線の表示色が異なっている。また、データ表示部１４は、例えば図５に示すように、各研究機関の各年次における年次大会での発表件数のデータを等高線表示する。
【００４３】
図４に示す画面表示例では、早い年次に多く文献を発表している研究機関ほど上の方に表示される。また、本発明の実施の形態においては、図４に示すように、データ表示部１４は、各キーワードについての年次発表データに発表件数の合計値と基準値が併記される形式で、表示データを画面表示してもよい。例えば、図４中の横浜国立大については、発表件数が１０で、基準値が３．３７であることを示す記述（１０，３．３７）が、研究機関名「横浜国立大」の横に併記される。
【００４４】
図４を見ると、例えば、論文誌ではＡＴＲ、通信総研が発表件数が多い。また、図５を見ると、年次大会ではＮＴＴ、ＡＴＲ、東工大、通信総研、東京大学の発表件数が多いことがわかる。また、ＮＴＴ、ＡＴＲは早い年次から多くの発表をしているが、通信総研と東京大学は１０年の年次の中では比較的後ろの方の年次で多くの発表をしていることがわかる。通信総研と東京大学は、発表件数が増加傾向にあることが読み取れ、今後も発表件数が増加することが予測される。その他の組織についてもどの年次で多く発表しているかは、図４や図５を参照することで容易に知ることができる。
【００４５】
本発明の実施の形態においては、上記ステップＳ４において、データ表示部１４が、例えば、各キーワードの各年次における発表件数のデータを等高線データに変換するとともに、各キーワードについての基準値をプロットした折れ線データを作成して、図６に示すように、各キーワードの各年次における発表件数の等高線データと、太い折れ線で示す各キーワードについての基準値についての折れ線データとを、同一画面上に表示するような構成を採ることもできる。
【００４６】
なお、本発明の実施の形態においては、上記ステップＳ４において、データ表示部１４が、例えば、各キーワードの各年次における発表件数のデータを折れ線データに変換し、図７（Ａ）に示すように、各キーワードの各年次における発表件数が折れ線表示される画面を表示する構成を採ることもできる。もちろん、本発明の実施の形態においては、図７（Ｂ）に示すように、各キーワードの各年次における発表件数の折れ線データと、図中の太い折れ線で示す、各キーワードの基準値についての折れ線データとを、同一画面上に表示するような構成を採ることもできる。
【００４７】
また、本発明の実施の形態においては、例えば、上記ステップＳ４において、データ表示部１４が、例えば、各キーワードの各年次における発表件数のデータを、図７（Ｃ）に示すようなバブルチャートとして画面表示する構成を採ることもできる。なお、バブルチャートとは、一般に、ある事象を表す円（バブル）を２つの軸を持つ図上に配置した図のことを言う。図７（Ｃ）に示すバブルチャートでは、円の大きさが発表件数の度合いを示している。もちろん、本発明の実施の形態においては、バブルチャート上に、各キーワードの基準値についての折れ線データを、各キーワードの各年次における発表件数のデータとともに画面表示するような構成を採ることもできる。
【００４８】
以下に、様々な表示データの画面表示例について説明する。図８は、乱数を生成して、論文誌における年次発表データをランダムに並び替えた場合の、表示データの画面表示例を示す図である。図８に示す画面表示例では、どの研究機関が早い年次に偏って文書を発表しているか、また、どの研究機関が遅い年次に偏って文書を発表しているかについて、一見して把握することは困難である。
【００４９】
図９は、論文誌についての年次発表データを発表件数の多い順にソートした場合の、表示データの画面表示例を示す図である。図９に示す画面表示例では、どの研究機関の文書の発表が多いかを考察するには便利であるが、どの研究機関が早い年次に偏って文書を発表しているか、また、どの研究機関が遅い年次に偏って文書を発表しているかについて把握することは困難である。
【００５０】
図１０は、論文誌についての年次発表データを研究機関名のＥＵＣコード順にソートした場合の、表示データの画面表示例を示す図である。図１０に示す画面表示例では、まず、半角文字の研究機関名、次に、カタカナの研究機関名、そして、漢字の研究機関名の順に上から表示されている。なお、半角文字の研究機関、漢字の研究機関それぞれにおいても、ＥＵＣコードの若い順に表示される。図１０に示す画面表示例によれば、例えば、特定の研究機関についてどの年次に文書の発表件数が多いかを考察するのには役立つが、それ以外の考察をする際には、見づらい表示となっている。
【００５１】
図１１は、論文誌についての年次発表データを、発表される年次の平均値に基づいてソートした場合の、表示データの画面表示例を示す図である。図中、各研究機関名の横には、発表件数の合計値と発表される年次の平均値を示す記述が併記されている。例えば、横浜国立大についての発表件数の合計値は１０、発表される年次の平均値は、４．６０であることがわかる。図１１に示す画面表示例は、ある程度、年次の早い時期に多く発表している研究機関はどれであるかについて考察するのに便利である。
【００５２】
図１２は、論文誌についての年次発表データを、発表される年次の最頻値に基づいてソートした場合の、表示データの画面表示例を示す図である。図中、各研究機関名の横には、発表件数の合計値と発表される年次の最頻値を示す記述が併記されている。例えば、横浜国立大についての発表件数の合計値は１０、発表される年次の最頻値は、２．００であることがわかる。図１２に示す画面表示例は、ある程度、年次の早い時期に多く発表している研究機関はどれであるかについて考察するのに便利である。
【００５３】
図１２に示す画面表示例では、各研究機関の最も等高線の高さが高い年次の値について昇順にデータが並べられていることから、図の見た目はよいと言える。しかし、各研究機関についての、発表される年次の最頻値を見てわかるように、同点の研究機関が多い。従って、同点の研究機関については、どの順に並び替えてもよいこととなる。よって、同点を避けようとすると、例えば、発表される年次の最頻値だけを使うのではなく、例えば、図４の画面表示例のように、最頻値と平均値と中央値とに基づいて算出される基準値について年次発表データを並び替えて表示するのがよいと言える。
【００５４】
図１３は、論文誌についての年次発表データを、発表される年次の中央値に基づいてソートした場合の、表示データの画面表示例を示す図である。図中、各研究機関名の横には、発表件数の合計値と発表される年次の中央値を示す記述が併記されている。例えば、横浜国立大についての発表件数の合計値は１０、発表される年次の中央値は、３．５０であることがわかる。図１３に示す画面表示例は、ある程度、年次の早い時期に多く発表している研究機関はどれであるかについて考察するのに便利である。
【００５５】
しかし、各研究機関についての、発表される年次の中央値を見てわかるように、同点の研究機関が多い。従って、同点の研究機関については、どの順に並び替えてもよいこととなる。よって、同点を避けようとすると、例えば、発表される年次の中央値だけを使うのではなく、例えば、図４の画面表示例のように、最頻値と平均値と中央値とに基づいて算出される基準値について年次発表データを並び替えて表示するのがよいと言える。
【００５６】
図１４は、本発明の第２の実施の形態におけるデータ表示処理フローの一例を示す図である。第２の実施の形態においては、データ入力部１１は、例えば、入力された、図１５に示すような、発表された文書のタイトル、文書のテキスト内容、発表年次等のデータから構成される書誌データに基づいて、年次発表データを数値データとして作成し、出力する構成を採る。
【００５７】
まず、データ入力部１１に書誌データが入力される（ステップＳ１１）。例えば、図１５に示すような書誌データが入力される。次に、データ項目抽出手段１１２が、入力された書誌データからキーワードを抽出する（ステップＳ１２）。
【００５８】
キーワードの抽出には、例えば、公知の形態素解析ツールであるＣｈａｓｅｎを用いる。Ｃｈａｓｅｎを用いれば、日本語文を分割し，さらに，各単語の品詞も推定することができる。Ｃｈａｓｅｎを用いた日本語文の分割例を説明する。
【００５９】
例えば，「学校へ行く」を入力すると以下の結果を得る。
【００６０】
学校    ガッコウ        学校    名詞- 一般              
へ      ヘ      へ      助詞- 格助詞- 一般                
行く    イク    行く    動詞- 自立      五段・カ行促音便        基本形
EOS
各行に一個の単語が入るように分割され，各単語に読みや品詞の情報が付与される。
【００６１】
なお、英語の品詞タグつけシステムとしては Brill（Transformation-Based Error-Driven Learning and Natural Language Processing: A Case Study in Part-of-Speech Tagging,  Computational Linguistics, Vol. 21, No. 4, p.543-565, 1995.参照）のものが有名であり、英語文の各単語の品詞を推定することができる。
【００６２】
本発明の実施の形態では、例えば、Ｃｈａｓｅｎでタイトルを分割することによって得られる各形態素をキーワードとして抽出する。
【００６３】
なお、例えば、本発明の実施の形態においては、Ｃｈａｓｅｎでタイトルを分割することによって得られる各形態素のうち、書誌データ中に出現する回数が予め定めた閾値以上のものをキーワードとして抽出する構成を採ることもできる。
【００６４】
次に、データ作成手段１１３が、抽出されたキーワードと書誌データとに基づいて、年次発表データを作成し、出力する（ステップＳ１３）。ステップＳ１３においては、例えば、タイトルに、ステップＳ１２において抽出されたキーワードを含む文書の各年次の発表件数のデータを、そのキーワードについての年次発表データとして作成する。
【００６５】
次に、基準値算出部１２が、年次発表データに基づいて、各キーワードについての基準値を算出する（ステップＳ１４）。そして、データソート部１３が、算出された基準値に基づいて、各キーワードについての年次発表データをソートする（ステップＳ１５）。
【００６６】
そして、データ表示部１４が、ソートされた年次発表データに基づいて、表示データを作成し、作成した表示データを画面表示する（ステップＳ１６）。
【００６７】
図１６は、上記ステップＳ１２において抽出したキーワードが各研究分野である場合の、論文誌についての表示データの画面表示例を示している。図１７と図１８は、年次大会についての画面表示例を示している。表示データの等高線の高さは、図１６の画面表示例では発表件数を、図１７と図１８の画面表示例では、発表件数に１を加えたものの底が２の対数を示す。
【００６８】
図１６に示すように、論文誌については、「動詞」、「名詞」、「解消」、「確率」、「コーパス」、「多義」などが上の方に表示され、これらの研究分野についての発表が早い年次に盛んであったことがわかる。「形態素」、「係り」、「対話」、「音声」についての発表は６年次に盛んであること、「要約」、「検索」、「翻訳」などについての発表が遅い年次で盛んになったこともわかる。特に「要約」は６年次と９年次でそれの特集号が出たためそのときに偏って多く出現している。「翻訳」は増加傾向にあることがうかがえ、今後も発表件数が増加することが予測される。
【００６９】
また、図１７に示すように、年次大会では「対訳」、「形態素」、「確率」、「辞書」、「統計」などについての発表が早い年次で盛んであったことがわかる。また，図１８を見ると、「検索」、「要約」、「質問」、「言い換え」などがあり，これらの研究分野についての発表が最近盛んになっていることがわかる。その他の研究分野についても、どの年次で多く研究されているかは、図１６〜図１８を参照することで容易に知ることができる。
【００７０】
また、本発明の実施の形態では、例えば、予め決めたあるキーワードを含む書誌データを用いて、年次発表データを作成する構成を採ることもできる。例として翻訳の研究動向を詳しく調べることとし、年次大会で発表された書誌データのうち、翻訳をタイトルに含むデータのみを用いて、本発明を適用した。その結果を図１９と図２０に示す。図の標高線の高さは発表件数を意味する。図１９に示すように、ＮＴＴは過去に、ＡＴＲは最近翻訳の研究が多いことがわかる。
【００７１】
また、図２０から、翻訳の研究は、過去は「意味」、「知識」、「辞書」を扱ったものが多かったが，最近は「支援」、「用例」、「検索」を扱ったものが多いことがわかる。
【００７２】
なお、本発明は、コンピュータにより読み取られ実行されるプログラムとして実施することもできる。本発明を実現するプログラムは、コンピュータが読み取り可能な、可搬媒体メモリ、半導体メモリ、ハードディスクなどの適当な記録媒体に格納することができ、これらの記録媒体に記録して提供され、または、通信インタフェースを介してネットワークを利用した送受信により提供されるものである。
【図面の簡単な説明】
【００７３】
【図１】本発明のデータ表示装置の構成の一例を示す図である。
【図２】データ入力部に入力されるデータの一例を示す図である。
【図３】本発明の第１の実施の形態におけるデータ表示処理フローの一例を示す図である。
【図４】表示データの画面表示例である。
【図５】表示データの画面表示例である。
【図６】表示データの画面表示例である。
【図７】表示データの画面表示例である。
【図８】表示データの画面表示例である。
【図９】表示データの画面表示例である。
【図１０】表示データの画面表示例である。
【図１１】表示データの画面表示例である。
【図１２】表示データの画面表示例である。
【図１３】表示データの画面表示例である。
【図１４】本発明の第２の実施の形態におけるデータ表示処理フローの一例を示す図である。
【図１５】書誌データの一例を示す図である。
【図１６】表示データの画面表示例である。
【図１７】表示データの画面表示例である。
【図１８】表示データの画面表示例である。
【図１９】表示データの画面表示例である。
【図２０】表示データの画面表示例である。
【図２１】論文誌・年次大会での発表件数の推移例を示す図である。
【符号の説明】
【００７４】
１  データ表示装置
１１  データ入力部
１２  基準値算出部
１３  データソート部
１４  データ表示部
１１１  データ蓄積手段
１１２  データ項目抽出手段
１１３  データ作成手段
１４１  表示データ作成手段
１４２  データ表示手段
【図１】
0004647442.tif 000002
【図２】
0004647442.tif 000003
【図３】
0004647442.tif 000004
【図４】
0004647442.tif 000005
【図５】
0004647442.tif 000006
【図６】
0004647442.tif 000007
【図７】
0004647442.tif 000008
【図８】
0004647442.tif 000009
【図９】
0004647442.tif 000010
【図１０】
0004647442.tif 000011
【図１１】
0004647442.tif 000012
【図１２】
0004647442.tif 000013
【図１３】
0004647442.tif 000014
【図１４】
0004647442.tif 000015
【図１５】
0004647442.tif 000016
【図１６】
0004647442.tif 000017
【図１７】
0004647442.tif 000018
【図１８】
0004647442.tif 000019
【図１９】
0004647442.tif 000020
【図２０】
0004647442.tif 000021
【図２１】
0004647442.tif 000022